(57)【要約】【課題】スリーブ管とガス管との溶接部分をなくすことにより、圧力調整器等の機器本体に、市販のガス管を容易に、しかも強度が低下することにないように接続することができる水素充填設備用管継手を提供する。【解決手段】スリーブ管１の内周に設けられた雌ネジ１ａに、ガス管３の一端外周に設けられた雄ネジ３ａを捩じ込み、スリーブ管１の端部と、機器本体４の接続管５の端部とを、シールリング６を介して突き合わせ、これらスリーブ管１の端部と機器本体４の接続管５の端部を、固定手段により固定したものとしている。【選択図】図１
2016075314.tif 000002
【特許請求の範囲】
【請求項１】
スリーブ管（１）の内周に設けられた雌ネジ（１ａ）に、ガス管（３）の一端外周に設けられた雄ネジ（３ａ）を捩じ込み、スリーブ管（１）の端部と、機器本体（４）の接続管（５）の端部とを、シールリング（６）を介して突き合わせ、これらスリーブ管（１）の端部と機器本体（４）の接続管（５）の端部を、固定手段により固定したことを特徴とする水素充填設備用管継手。
【請求項２】
前記固定手段を袋ナット（２）とし、この袋ナット（２）の頂壁（２ｂ）の内側を、前記スリーブ管（１）の外周端に設けられたフランジ（１ｂ）に引っ掛け、袋ナット（２）の内周に設けられた雌ネジ（２ａ）を前記機器本体（４）の接続管（５）の外周に設けられた雄ネジ（５ａ）に捩じ込んだことを特徴とする請求項１記載の水素充填設備用管継手。
【請求項３】
前記固定手段をクランプ（７）とし、このクランプ（７）の一対のクランプ部材（７ａ、７ｂ）の一側端のそれぞれの挟持部（９ａ）のテーパ状内面（Ｔｉ）を、前記スリーブ管（１）の外周端に設けられたフランジ（１ｂ）のテーパ状外面（Ｔｏ）に圧接させ、前記クランプ部材（７ａ、７ｂ）の他側端のそれぞれの挟持部（９ｂ）のテーパ状内面（Ｔｉ）を、前記機器本体（４）の接続管（５）の外周端に設けられたフランジ（５ｂ）のテーパ状外面（Ｔｏ）に圧接させたことを特徴とする請求項１記載の水素充填設備用管継手。
【発明の詳細な説明】
【技術分野】
【０００１】
この発明は、燃料電池自動車に水素を供給する水素ステーション等の水素充填設備に用いられる管継手に関するものである。
【背景技術】
【０００２】
従来、水素充填設備の圧力調整器、過流防止弁、高圧バルブ、背圧弁、逆止弁、ストレーナ等とガス管とを接続するには「ねじ接合管継手」が用いられている。
【０００３】
この「ねじ接合管継手」は、図６に示したように、スリーブ管１１を用いて、市販のガス管１２を圧力調整器等の機器本体１３に接続したものとしている。このような場合には、先ず機器本体１３の近辺まで配管したガス管１２の一端にスリーブ管１１を溶接する。次に、このスリーブ管１１の他端と、機器本体１３の接続管１４の端部をシールリング１５を介して突き合わせる。そして、袋ナット１６の頂壁１６ａの内側を前記スリーブ管１１の他端に形成したフランジ１１ａに引っ掛け、袋ナット１６の内壁に形成した雌ネジ１６ｂを機器本体１３の接続管１４の外周に形成した雄ネジ１４ａに捩じ込んだものとしている。
【先行技術文献】
【特許文献】
【０００４】
【非特許文献１】高圧ガス保安法令関係例示基準資料集（第６次改訂版）、高圧ガス保安協会、平成２５年３月発行、第７３〜７５ページ「２６.保安上必要な強度を有するフランジ接合又はねじ接合継手」
【発明の概要】
【発明が解決しようとする課題】
【０００５】
上記従来の水素充填設備に用いられる管継手は、スリーブ管１１とガス管１２を溶接したものとしている。しかしながら、水素充填設備では、例えば常用圧力が７０〜８２ＭＰａと高いため、水素脆性の問題で、前記スリーブ管１１とガス管１２との溶接部の強度が低下し、溶接による接合が容易に行なえないという課題を有していた。
【０００６】
そこで、この発明は、上記従来の水素充填設備用管継手が有する課題を解決するためになされたものであり、前記スリーブ管とガス管との溶接部分をなくすことにより、圧力調整器等の機器本体に、市販のガス管を容易に、しかも強度が低下することにないように接続することができる水素充填設備用管継手を提供することを目的としてなされたものである。
【課題を解決するための手段】
【０００７】
そのため、この発明の水素充填設備用管継手は、スリーブ管１の内周に設けられた雌ネジ１ａに、ガス管３の一端外周に設けられた雄ネジ３ａを捩じ込み、スリーブ管１の端部と、機器本体４の接続管５の端部とを、シールリング６を介して突き合わせ、これらスリーブ管１の端部と機器本体４の接続管５の端部を、固定手段により固定したものとしている。
【０００８】
そして、この発明の水素充填設備用管継手において、前記固定手段は、袋ナット２としており、この袋ナット２の頂壁２ｂの内側を、前記スリーブ管１の外周端に設けられたフランジ１ｂに引っ掛け、袋ナット２の内周に設けられた雌ネジ２ａを前記機器本体４の接続管５の外周に設けられた雄ネジ５ａに捩じ込んだものとしている。
【０００９】
さらに、この発明の水素充填設備用管継手において、前記固定手段は、クランプ７としており、このクランプ７の一対のクランプ部材７ａ、７ｂの一側端のそれぞれの挟持部９ａのテーパ状内面Ｔｉを、前記スリーブ管１の外周端に設けられたフランジ１ｂのテーパ状外面Ｔｏに圧接させ、前記クランプ部材７ａ、７ｂの他側端のそれぞれの挟持部９ｂのテーパ状内面Ｔｉを、前記機器本体４の接続管５の外周端に設けられたフランジ５ｂのテーパ状外面Ｔｏに圧接させたものとしている。
【発明の効果】
【００１０】
この発明の水素充填設備用管継手は、以上に述べたような構成としており、スリーブ管とガス管との溶接部分をなくしたので、圧力調整器等の機器本体に、市販のガス管を容易に、しかも強度が低下することにないように接続することができるものとなった。
【図面の簡単な説明】
【００１１】
【図１】この発明の水素充填設備用管継手の第一実施形態を示す断面図である。
【図２】図１に示す水素充填設備用管継手の固定手段（袋ナット）とスリーブ管とガス管の断面図である。
【図３】この発明の水素充填設備用管継手の第二実施形態を示す断面図である。
【図４】図２に示す水素充填設備用管継手の固定手段（クランプ）とスリーブ管とガス管の断面図である。
【図５】図３、４に示す水素充填設備用管継手の固定手段（クランプ）の平面図である。
【図６】従来の水素充填設備用管継手の一例を示す断面図である。
【発明を実施するための形態】
【００１２】
以下、この発明の水素充填設備用管継手の第一実施形態および第二実施形態を、図面に基づいて詳細に説明する。
【００１３】
（第一実施形態）
この発明の水素充填設備用管継手は、図１、２に示したように、スリーブ管１及び固定手段としての袋ナット２を備えており、ガス管３を機器本体４の接続管５に接続して固定するようにしている。
【００１４】
スリーブ管１には、内周に雌ネジ１ａが設けられ、外周端にフランジ１ｂが設けられている。袋ナット２には、内周に雌ネジ２ａが設けられ、一端に頂壁２ｂが設けられている。ガス管３には、一端外周に雄ネジ３ａが設けられている。
【００１５】
機器本体４は、水素充填設備の圧力調整器、過流防止弁、高圧バルブ、背圧弁、逆止弁、ストレーナ等としており、これら機器本体４の何れかの一端に設けられた接続管５の外周には、雄ネジ５ａが設けられている。
【００１６】
そして、この発明の水素充填設備用管継手は、スリーブ管１の内周に設けられた雌ネジ１ａに、ガス管３の一端外周に設けられた雄ネジ３ａを捩じ込み、スリーブ管１の端部と、機器本体４の接続管５の端部とを、シールリング６を介して突き合わせ、これらスリーブ管１の端部と機器本体４の接続管５の端部を、固定手段としての袋ナット２により、固定したものとしている。
【００１７】
この発明の水素充填設備用管継手において、前記袋ナット２により固定するには、この袋ナット２の頂壁２ｂの内側を、前記スリーブ管１の外周端に設けられたフランジ１ｂに引っ掛け、袋ナット２の内周に設けられた雌ネジ２ａを前記機器本体４の接続管５の外周に設けられた雄ネジ５ａに捩じ込んだものとしている。
【００１８】
（第二実施形態）
この発明の水素充填設備用管継手は、図３〜５に示したように、スリーブ管１及び固定手段としてのクランプ７を備えており、ガス管３を機器本体４の接続管５に接続して固定するようにしている。
【００１９】
スリーブ管１には、内周に雌ネジ１ａが設けられ、外周端にフランジ１ｂが設けられており、このフランジ１ｂはテーパ状外面Ｔｏを有したものとしている。クランプ７は、一対のクランプ部材７ａ、７ｂをボルト８により締め付けるようにしたものとしている。クランプ部材７ａ、７ｂには、それぞれ両側端に挟持部９ａ、９ｂが設けられ、これら挟持部９ａ、９ｂはテーパ状内面Ｔｉを有したものとしている。ガス管３には、一端外周に雄ネジ３ａが設けられている。
【００２０】
機器本体４は、水素充填設備の圧力調整器、過流防止弁、高圧バルブ、背圧弁、逆止弁、ストレーナ等としており、これら機器本体４の何れかの一端に設けられた接続管５の外周端には、フランジ５ｂが設けられており、このフランジ５ｂはテーパ状外面Ｔｏを有したものとしている。
【００２１】
そして、この発明の水素充填設備用管継手は、スリーブ管１の内周に設けられた雌ネジ１ａに、ガス管３の一端外周に設けられた雄ネジ３ａを捩じ込み、スリーブ管１の端部と、機器本体４の接続管５の端部とを、シールリング６を介して突き合わせ、これらスリーブ管１の端部と機器本体４の接続管５の端部を、固定手段としてのクランプ７により、固定したものとしている。
【００２２】
この発明の水素充填設備用管継手において、前記クランプ７により固定するには、このクランプ７の一対のクランプ部材７ａ、７ｂの一側端のそれぞれの挟持部９ａのテーパ状内面Ｔｉを、前記スリーブ管１の外周端に設けられたフランジ１ｂのテーパ状外面Ｔｏに当接させると共に、前記クランプ部材７ａ、７ｂの他側端のそれぞれの挟持部９ｂのテーパ状内面Ｔｉを、前記機器本体４の接続管５の外周端に設けられたフランジ５ｂのテーパ状外面Ｔｏに当接させ、ボルト８により締め付けて、前記テーパ状内面Ｔｉとテーパ状外面Ｔｏ、及びテーパ状内面Ｔｉとテーパ状外面Ｔｏを圧接させたものとしている。
【００２３】
以上に述べたこの発明の水素充填設備用管継手は、スリーブ管１の内周に設けられた雌ネジ１ａに、ガス管３の一端外周に設けた雄ネジ３ａを捩じ込むことにより、スリーブ管１とガス管３との溶接部分をなくしたものとした。
【００２４】
したがって、この発明の水素充填設備用管継手は、圧力調整器等の機器本体に、市販のガス管を容易に、しかも強度が低下することにないように接続することができるものとなった。
【符号の説明】
【００２５】
１  スリーブ管
１ａ  雌ネジ
１ｂ  フランジ
２  袋ナット
２ａ  雌ネジ
２ｂ  頂壁
３  ガス管
３ａ  雄ネジ
４  機器本体
５  接続管
５ａ  雄ネジ
５ｂ  フランジ
６  シールリング
７  クランプ
７ａ  クランプ部材
７ｂ  クランプ部材
９ａ  挟持部
９ｂ  挟持部
Ｔｏ  テーパ状外面
Ｔｉ  テーパ状内面
【図１】
2016075314.tif 000003
【図２】
2016075314.tif 000004
【図３】
2016075314.tif 000005
【図４】
2016075314.tif 000006
【図５】
2016075314.tif 000007
【図６】
2016075314.tif 000008